(57)【要約】【課題】  上り回線が混雑している場合に、ユーザによって無駄な発信要求がなされ、無線通信端末は、無駄な電力を消費していた。【解決手段】  無線基地局１は、セル３内において通信中の無線通信端末２の数が許容値を上回っているか否かを判断する。許容値を上回っている場合、無線基地局は、上り回線混雑情報を放送する。上り回線混雑情報が放送された後、ユーザから発信要求がなされた場合、無線通信端末は、受信強度を示すアンテの表示部分を消灯する。【選択図】  図１ 
2005101982.tif 000002
【特許請求の範囲】
【請求項１】
無線基地局のセル内に存在する無線通信端末の制御方法であって、
前記セル内において通信中の前記無線通信端末の数が許容値を上回っているか否かを前記無線基地局が判断するステップと、
前記許容値を上回っている場合、上り回線が混雑していることを示す上り回線混雑情報を前記無線基地局が放送するステップと、
前記上り回線混雑情報が放送された後、ユーザから発信要求がなされた場合、再度の発信要求をユーザに断念させる表示を前記無線通信端末が行うステップとを備える、方法。
【請求項２】
前記上り回線混雑情報が放送された後、ユーザから発信要求がなされた場合、前記無線通信端末は、発信のための電波を送出しないことを特徴とする、請求項１に記載の方法。
【請求項３】
前記上り回線混雑情報が放送された後から、前記無線基地局から上り回線の混雑が解消されたことを示す上り回線混雑解消情報が放送されるまでの間、前記無線通信端末は、電波の送出を中止することを特徴とする、請求項１に記載の方法。
【請求項４】
無線基地局の監視に従って、他の通信機器と通信するための無線通信端末であって、
前記無線基地局から放送される上り回線が混雑していることを示す上り回線混雑情報を受信する上り回線混雑情報受信手段と、
前記上り回線混雑情報受信手段が前記上り回線混雑情報を受信した後、ユーザから発信要求がなされた場合、再度の発信要求をユーザに断念させる表示を行う表示手段とを備える、無線通信端末。
【請求項５】
前記表示手段による再度の発信要求をユーザに断念させる表示は、電波の受信強度が低下していることを示す表示と統合されていることを特徴とする、請求項４に記載の無線通信端末。
【請求項６】
前記表示手段による再度の発信要求をユーザに断念させる表示は、電波の受信強度を示す段階表示が消えていることである、請求項５に記載の無線通信端末。
【請求項７】
前記表示手段は、前記無線基地局から上り回線の混雑が解消されたことを示す上り回線混雑解消情報を受信した場合、通常の電波の受信強度を示す表示に戻ることを特徴とする、請求項５に記載の無線通信端末。
【請求項８】
前記上り回線混雑情報受信手段が前記上り回線混雑情報を受信した後、ユーザから発信要求がなされた場合、発信のための電波を送出しない発信取り止め手段をさらに備える、請求項４に記載の無線通信端末。
【請求項９】
前記上り回線混雑情報受信手段が前記上り回線混雑情報を受信した後から、前記無線基地局から上り回線の混雑が解消されたことを示す上り回線混雑解消情報が放送されるまでの間、電波の送出を中止する電波送出中止手段をさらに備える、請求項４に記載の無線通信端末。
【請求項１０】
自セル内に存在する複数の無線通信端末を監視するための無線基地局であって、
前記セル内において通信中の前記無線通信端末の数が許容値を上回っているか否かを判断する同時通信端末数判断手段と、
前記同時通信端末数判断手段が前記許容値を上回っていると判断した場合、上り回線が混雑していることを示す上り回線混雑情報を放送する上り回線混雑情報放送手段とを備え、
前記上り回線混雑情報は、前記無線通信端末において、ユーザに発信要求をなすことを断念させるための表示に用いられることを特徴とする、無線基地局。
【発明の詳細な説明】
【技術分野】
【０００１】
本発明は、無線ネットワークにおける無線通信端末の制御方法に関し、より特定的には、無線通信端末の消費電力を低減させるための制御方法、ならびにその制御方法を用いて動作する無線通信端末および無線基地局に関する。
【背景技術】
【０００２】
無線通信端末においては、消費電力を如何にして低減するかが、重要な課題の一つとなる。従来、無線通信端末が所定時間以上、圏外に位置していた場合、無線通信端末の電源を自動的にオフにすることによって、消費電力を低減する方法が提案されていた（特許文献１参照）。
【特許文献１】特開２００２−２０８８８７号公報
【発明の開示】
【発明が解決しようとする課題】
【０００３】
しかし、上記従来の方法を用いた場合、携帯電話のような無線通信端末が基地局からの電波を受信することができる圏内に位置していているときは、携帯電話の電源はオンになっている。
【０００４】
ところが、電波受信感度が良好な環境下にあっても、上り回線が混み合うことによって、通信ができない場合が多々ある。このような場合、ユーザは、いつになれば上り回線を正常に使用することができるのか予測することができないので、発信ボタン等を繰り返し押下して、頻繁に通信を試みようとする。発信ボタンが押下される度に、携帯電話は、無線基地局に対して、発信要求を示す電波を無線基地局に対して送信して、電力を消費する。ところが、上り回線が混み合っている状況下にあっては、圏内に多数の携帯電話が存在していることが多いので、なかなか送信可能な状態にはならない。そのため、携帯電話が発信要求を示す電波を放射する度に、無駄な電力が消費されることとなる。
【０００５】
それゆえ、本発明の目的は、上り回線が混雑している場合に、無線通信端末の消費電力の低減を図る制御方法を提供することである。また、当該消費電力の低減方法を用いて動作する無線通信端末および無線基地局を提供することを目的とする。
【課題を解決するための手段】
【０００６】
上記課題を解決するために、本発明は、以下のような特徴を有する。
【０００７】
本発明は、無線基地局のセル内に存在する無線通信端末の制御方法であって、セル内において通信中の無線通信端末の数が許容値を上回っているか否かを無線基地局が判断するステップと、許容値を上回っている場合、上り回線が混雑していることを示す上り回線混雑情報を無線基地局が放送するステップと、上り回線混雑情報が放送された後、ユーザから発信要求がなされた場合、再度の発信要求をユーザに断念させる表示を無線通信端末が行うステップとを備える。
【０００８】
好ましくは、上り回線混雑情報が放送された後、ユーザから発信要求がなされた場合、無線通信端末は、発信のための電波を送出しないとよい。
【０００９】
また、好ましくは、上り回線混雑情報が放送された後から、無線基地局から上り回線の混雑が解消されたことを示す上り回線混雑解消情報が放送されるまでの間、無線通信端末は、電波の送出を中止するとよい。
【００１０】
また、上記の制御方法を用いる無線通信端末は、無線基地局の監視に従って、他の通信機器と通信し、無線基地局から放送される上り回線が混雑していることを示す上り回線混雑情報を受信する上り回線混雑情報受信手段と、上り回線混雑情報受信手段が上り回線混雑情報を受信した後、ユーザから発信要求がなされた場合、再度の発信要求をユーザに断念させる表示を行う表示手段とを備える。
【００１１】
好ましくは、表示手段による再度の発信要求をユーザに断念させる表示は、電波の受信強度が低下していることを示す表示と統合されているとよい。より具体的には、表示手段による再度の発信要求をユーザに断念させる表示は、電波の受信強度を示す段階表示が消えていることであるとよい。
【００１２】
また、好ましくは、表示手段は、無線基地局から上り回線の混雑が解消されたことを示す上り回線混雑解消情報を受信した場合、通常の電波の受信強度を示す表示に戻るとよい。
【００１３】
さらに、上り回線混雑情報受信手段が上り回線混雑情報を受信した後、ユーザから発信要求がなされた場合、発信のための電波を送出しない発信取り止め手段を備えるとよい。
【００１４】
また、さらに、上り回線混雑情報受信手段が上り回線混雑情報を受信した後から、無線基地局から上り回線の混雑が解消されたことを示す上り回線混雑解消情報が放送されるまでの間、電波の送出を中止する電波送出中止手段を備えるとよい。
【００１５】
上記のような無線通信端末を監視する無線基地局は、セル内において通信中の無線通信端末の数が許容値を上回っているか否かを判断する同時通信端末数判断手段と、同時通信端末数判断手段が許容値を上回っていると判断した場合、上り回線が混雑していることを示す上り回線混雑情報を放送する上り回線混雑情報放送手段とを備えることとなる。
【発明の効果】
【００１６】
以上のように本発明は、上り回線が混雑している状況下において、ユーザからの発信要求があった場合、再度の発信要求をユーザに断念させるような表示を無線通信端末が行うこととなるので、ユーザは、繰り返して発信要求を行わなくなり、結果、発信のための電波が送出されないので、無線通信端末の無駄な電力消費を抑えることができ、無線通信端末の消費電力低減を実現することができる。また、本発明のような表示は、ユーザのイライラ解消にも効果がある。
【発明を実施するための最良の形態】
【００１７】
図１は、本発明の一実施形態に係る無線通信システムの全体構成を示す図である。図１において、無線通信システムは、無線基地局１と、複数の無線通信端末２とを備える。なお、図１では、無線基地局１を一つだけ示したが、二つ以上あってもよいし、それらによって、複数の通信セルが構成されていてもよい。また、図１では、無線通信端末２が四つであるとしたが、三つ以下であってもよいし、五つ以上であってよい。図１に示すような無線通信システムは、たとえば、携帯電話システムのように、携帯電話である無線通信端末が通信するためのシステムであったり、無線ＬＡＮのように、固定または移動するコンピュータ装置である無線通信端末が通信するためのシステムであったりする。当然、無線通信システムは、上記に例示したシステム以外のものであってもよい。無線通信システムは、他の無線通信システム（図示せず）と相互に接続されていてもよいし、有線の通信ネットワーク（図示せず）と相互に接続されていてもよい。ここで、他の無線通信システムや有線の通信ネットワークのように、図１に示す無線通信システム以外のシステムを外部通信システムということにする。また、外部通信システム上の通信機器を外部通信機器ということにする。
【００１８】
無線基地局１は、セル３内に存在する無線通信端末２間の無線通信や無線通信端末２と外部通信機器との間の通信を実現するために、無線通信端末２からの電波を受信して通信先に有線または無線で送信したり、外部通信機器からの信号を受信して無線通信端末２宛に電波を放射したりする。また、無線基地局１は、セル３内の通信状況を監視し、無線通信端末２から無線基地局１への上り回線の混雑状況を把握し、上り回線が混雑している場合は、上り回線混雑情報を放送し、上り回線の混雑が解消された場合は、上り回線混雑解消情報を放送する。上り回線混雑情報と上り回線混雑解消情報とをあわせて、上り回線情報ということにする。
【００１９】
無線通信端末２は、無線基地局１と電波を介して通信することよって、他の機器と通信する。ユーザが無線通信端末２の発信を試みた場合、無線通信端末２は、無線基地局１から送られてくる上り回線情報に基づいて、実際に発信するか否かを判断する。上り回線混雑情報を受信している場合、無線通信端末２は、発信を取り止め、電波受信感度を示す表示部分を消灯する。
【００２０】
図２は、無線基地局１の内部構成を示すブロック図である。図２において、無線基地局１は、制御部１１と、記憶部１２と、外部送受信部１３と、無線送受信部１４とを含む。
【００２１】
制御部１１は、無線基地局１全体の動作を制御するための処理装置である。制御部１１は、記憶部１２に格納されている制御プログラムを実行することによって、無線基地局１全体の動作を制御するＣＰＵ等の汎用の処理装置であってもよいし、所定の動作を実行するようなプログラムが予め組み込まれている専用の処理装置であってもよい。制御部１１は、セル３内に存在する無線通信端末２を確認するための信号を、定期的に無線送受信部１４に送出させ、無線通信端末２からの返信信号に基づいて、セル３内に存在する無線通信端末２を認識し、当該無線通信端末２の識別子を記憶部１２に格納する。また、制御部１１は、セル３内に存在する無線通信端末２の内、現在通信中の無線通信端末２がどれであるかを認識し、現在通信中の無線通信端末２の数（以下、同時通信端末数という）を、記憶部１２に格納する。制御部１１は、記憶部１２に格納されている同時通信端末数に基づいて、上り回線混雑情報を電波に乗せて放送する。
【００２２】
記憶部１２は、メモリやハードディスクドライブ等の記憶装置であって、制御部１１からの指示に応じて、セル３内に存在する無線通信端末２の識別子、および同時通信端末数を格納する。また、記憶部１２は、制御部１１からの指示に応じて、上り回線混雑情報を放送した回数を格納する。
【００２３】
外部送受信部１３は、外部通信システムとの間で信号を送受信するための装置であって、変調器や復調器等を有する。無線送受信部１４は、無線通信端末２との間で電波を送受信するため装置であって、アンテナや、変調器、復調器等を有する。
【００２４】
図３は、無線通信端末２の内部構成を示すブロック図である。図３において、無線通信端末２は、制御部２１と、記憶部２２と、入力部２３と、無線送受信部２４と、表示部２５とを含む。
【００２５】
制御部２１は、無線通信端末２全体の動作を制御するための処理装置である。制御部２１は、記憶部２２に格納されている制御プログラムを実行することによって、無線通信端末２全体の動作を制御するＣＰＵ等の汎用の処理装置であってもよいし、所定の動作を実行するようなプログラムが予め組み込まれている専用の処理装置であってもよい。制御部２１は、上り回線情報および電波の受信強度に応じて、電波の発信および表示内容を制御する。
【００２６】
記憶部２２は、メモリやハードディスクドライブ等の記憶装置であって、上り回線混雑情報および上り回線混雑解消情報の有無等、制御部２１の動作に必要なデータを格納する。
【００２７】
入力部２３は、ユーザが無線通信端末２の動作を操作するためのボタンスイッチやキーボード等を有する入力装置である。無線送受信部２４は、無線基地局１との間で電波を送受信するため装置であって、アンテナや、変調器、復調器等を有する。表示部２５は、液晶等による表示装置であって、制御部２１からの指示に応じて、必要な情報を表示する。
【００２８】
図４は、上り回線情報を放送するときの無線基地局１の動作を示すフローチャートである。以下、図４を参照しながら、上り回線情報を放送するときの無線基地局１の動作について説明する。なお、無線基地局１は、上り回線情報の放送と並行して、セル３内の無線通信端末２からの電波の受信処理および無線通信端末２への電波の送信処理等を行っているが、こられの処理内容は、公知のものであるので、詳しい説明を省略する。
【００２９】
まず、無線基地局１の制御部１１は、無線送受信部１４にビーコン信号を放送させる（ステップＳ１０１）。次に、制御部１１は、記憶部１２に格納されている同時通信端末数が許容値以上であるか否かを判断する（ステップＳ１０２）。ここで、許容値は、無線基地局１の処理能力や無線通信システムの周波数帯等に基づいて、予め決められた値である。
【００３０】
同時通信端末数が許容値以上である場合、制御部１１は、無線送受信部１４の変調器（図示せず）に上り回線混雑情報で搬送波信号を変調させて、上り回線混雑情報が乗っている電波を放送する（ステップＳ１０３）。次に、制御部１１は、上り回線混雑情報の放送回数を示すＮを一つ増加させ、記憶部１２に格納する（ステップＳ１０４）。なお、Ｎの初期値は、０であるとする。次に、制御部１１は、現在通信中の無線通信端末２を認識し、同時通信端末数に変更が生じている場合、記憶部１２に格納されている同時通信端末数を更新して（ステップＳ１０５）、ステップＳ１０１の動作に戻る。
【００３１】
一方、ステップＳ１０１において、同時通信端末数が許容値以上でない場合、制御部１１は、記憶部１２に格納されている上り回線混雑情報の放送回数が０であるか否かを判断する（ステップＳ１０６）。０である場合、制御部１１は、ステップＳ１０１の動作に戻る。
【００３２】
一方、０でない場合、制御部１１は、無線送受信部１４の変調器（図示せず）に上り回線混雑解消情報で搬送波信号を変調させて、上り回線混雑解消情報が乗っている電波を放送する（ステップＳ１０７）。次に、制御部１１は、Ｎを初期値の０にリセットして（ステップＳ１０８）、ステップＳ１０１の動作に戻る。
【００３３】
図５は、無線通信端末２の動作を示すフローチャートである。図６は、図５に示したフローチャートに従って、無線通信端末としての携帯電話が動作したときの表示例を示す図である。以下、図５および図６を参照しながら、無線通信端末２の動作について説明する。
【００３４】
まず、無線通信端末２の制御部２１は、無線基地局１からのビーコン信号を受信し、電波受信強度を測定する（ステップＳ２０１）。次に、制御部２１は、上り回線混雑情報または上り回線混雑解消情報の少なくともいずれか一方を受信するか否かを判断する（ステップＳ２０２）。無線基地局１による上り回線情報の放送には所定の時間が必要なので、ステップＳ２０２では、制御部２１は、当該所定の時間待機する。
【００３５】
所定の時間の経過後、上り回線混雑情報および上り回線混雑解消情報のいずれも受信しない場合、制御部２１は、ステップＳ２０１で測定した電波受信強度に基づいて、電波受信感度を示す表示部分を点灯状態にする（ステップＳ２０３）。このとき、図６（ａ）に示すように、携帯電話等では、電波受信感度を示すアンテナの表示部分が、受信感度を段階的に示している。次に、制御部２１は、入力部２３のユーザによる操作によって、発信要求がなされたか否かを判断する（ステップＳ２０４）。たとえば、携帯電話等では、発信ボタンが押下されることによって、発呼やメールの送信要求、制御信号送信等の発信要求があったとする。発信要求がなかった場合、制御部１１は、ステップＳ２０１の動作に戻る。一方、発信要求があった場合、制御部１１は、発信のための電波を送出し（ステップＳ２０５）、ステップＳ２０１の動作に戻る。
【００３６】
一方、上り回線混雑情報または上り回線混雑解消情報の少なくともいずれか一方を受信した場合、制御部２１は、入力部２３のユーザによる操作によって、発信要求がなされたか否かを判断する（ステップＳ２０６）。発信要求がない場合、制御部２１は、ステップＳ２０３の動作に進み、電波受信感度を示す表示部分を点灯状態し、ステップＳ２０４移行の動作に進む。
【００３７】
一方、発信要求がある場合、制御部２１は、ステップＳ２０２で上り回線混雑解消情報を受信し、かつステップＳ２０１で測定した電波受信強度が通信可能な強度であるか否かを判断する（ステップＳ２０７）。上り回線混雑解消情報を受信し、かつ通信可能な電波受信強度である場合、制御部２１は、ステップＳ２０１で測定した電波受信強度に基づいて、電波受信感度を示す表示部分を点灯状態にして（ステップＳ２０８、図６（ａ）参照）、発信し（ステップＳ２０９）、ステップＳ２０１の動作に戻る。
【００３８】
ステップＳ２０７において、上り回線混雑解消情報を受信し、かつ通信可能な電波受信強度であると判断されなかった場合、制御部２１は、ステップＳ２０２で受信した上り回線情報と電波受信強度との論理積を求めて（ステップＳ２１０）、ステップＳ２１１の動作に進む。ここでは、制御部２１は、上り回線混雑情報を０として、上り回線混雑解消情報を１として、通信不可能な電波受信強度を０として、通信可能な電波受信強度を１として、上り回線情報と電波受信強度との論理積を求める。
【００３９】
ステップＳ２１１において、制御部２１は、ステップＳ２１０で求めた論理積が０であるか否かを判断する。０である場合、すなわち、上り回線混雑情報が放送されている場合、または、上り回線混雑解消情報が放送されているが通信不可能な電波受信強度である場合、制御部２１は、発呼やメール送信、制御信号等のために必要な電波を送出せずに、発信を取り止める（ステップＳ２１２）。電波の送出の取り止めによって、無駄な電力消費を抑えることができる。次に、制御部２１は、表示部２５に電波受信感度を示す表示部分を消灯状態にし（ステップ２１３）、上り回線情報を受信するまで待機し（ステップＳ２１４）、上り回線情報を受信したら、ステップＳ２０８の動作に戻る。ステップＳ２１１において、図６（ｂ）に示すように、携帯電話等では、電波受信感度を段階的に示すアンテナの表示部分を消灯状態にする。このように、上り回線が混雑していることを示す表示は、電波の受信強度が低いために通信が不可能であることを示す表示と一体的になっており、統合されている。
【００４０】
一方、ステップＳ２１１において、論理積が０でない場合、すなわち、上り回線混雑解消情報が放送されかつ通信可能な電波受信強度である場合、制御部２１は、表示部２５に電波受信感度を示す表示部分を点灯状態にし（ステップ２１５、図６（ａ）参照）、ステップＳ２０１の動作に戻る。このように、上り回線の混雑が解消した場合、電波の受信強度を示す表示が、実際の電波の受信強度を示す表示に戻ることとなる。これにより、ユーザは、上り回線の混雑が解消したことを知ることができる。
【００４１】
以上、上記一実施形態では、無線基地局から上り回線混雑情報が放送された場合、無線通信端末は、上り回線の使用ができない旨を電波の受信感度表示部分を消灯状態にすることによってユーザに知らせる。電波の受信感度表示部分が消灯状態になることによって、ユーザは、現在通信が不可能である旨を認識することができる。通信不可能であると認識したユーザは、頻繁に送信を試みようとしなくなるので、発信要求を出すことによって消費される電力の低減を図ることが期待できる。
【００４２】
また、上記実施形態のように、電波の受信感度を示す表示と回線混雑を示す表示とを統合することによって、表示を簡素にすることができる。特に、携帯電話等のように表示部が小さい無線通信端末においては、電波の受信感度の表示と回線混雑の表示との統合は、有効である。
【００４３】
さらに、上記実施形態では、無線通信端末は、無線基地局から上り回線混雑情報が放送された場合、発信要求に応じた発呼等のための電波の送出を取り止める。したがって、電波の受信感度表示部が消灯状態になっているにも関わらず、ユーザが頻繁に発信要求を与えたとしても、実際には、発信のための電波が送出されないので、無線通信端末の電力が消費されないこととなる。以上により、無線通信端末の消費電力が低減されることとなる。
【００４４】
たとえば、街中のように、電波の受信感度は良好であるが、携帯電話が多数存在するために上り回線が混雑している状況を想定してみる。このような場合、携帯電話の表示画面には、電波の受信感度を示すアンテナのイラストで示される表示部分が点灯している（図６（ａ）参照）。しかし、実際に発信しようとユーザが試みても、回線混雑のため通信できないこととなる。本実施形態では、このように回線が混雑している場合に、ユーザが発信ボタン等を押下したら、この押下をきっかけに、アンテナの表示部分が突然消灯することとなる（ステップＳ２１３、図６（ｂ）参照）。これによって、ユーザは、回線が混雑しているので通信できない旨を認識することができる。その後、回線の混雑か解消されれば、自動的にアンテナの表示部分が点灯することとなるので（ステップＳ２１５参照）、ユーザは、通信可能であることを認識することができる。
【００４５】
なお、図５におけるステップＳ２１１〜Ｓ２１４では、無線通信端末が、上り回線混雑情報が放送された後から上り回線混雑解消情報が放送されるまでの間、発信を中止していることとなる。つまり、無線通信端末は、上り回線混雑情報が放送された後から上り回線混雑解消情報が放送されるまでの間、電波の送出を中止していることとなる。これにより、無駄な電波送出が強制的に防止され、消費電力の低減が実現される。
【００４６】
なお、上記実施形態では、電波の受信感度表示部分を消灯状態にすることによって、通信不可能である旨を表示することとした。しかし、ユーザが電波の受信感度表示部分を閲覧して、通信が不可能である旨を知ることができるのであれば、消灯状態にすることに限られるものではない。たとえば、電波の受信感度表示部分を真っ黒にしたり、電波の受信感度表示部分に×印等の特別な表示をしたりしてもよく、通信不可能を伝える表示であれば何でもよい。
【００４７】
本発明は、ユーザが発信要求を出した場合、電波の受信感度表示部分を突然通信不可能を示す表示に切り換えることによって、ユーザに通信不可能を知らせるところに特徴があるので、上記実施形態のように電波の受信感度表示部分を消灯状態にすることに限定されるものではない。
【００４８】
なお、上記実施形態では、電波の受信感度表示部分を消灯状態にすることによって、上り回線が混雑しているために通信が不可能である旨をユーザに知らせることとしたが、表示方法としては、これに限られるものではない。たとえば、表示画面上に、「只今混雑のため通信できません」と直接的に表示してもよいし、混雑しているため通信できない旨のアイコンが表示画面上に表示されるようにしてもよいし、「しばらく経過してから通信して下さい」といったように表示してもよい、つまり、ユーザが再度の発信要求を断念するような表示であれば、どのような表示であってもよい。
【００４９】
なお、上記実施形態では、無線基地局を中継して、無線通信端末間で信号を送受信することとしたが、無線通信端末間で直接信号をやり取りするようにしてもよい。
【産業上の利用可能性】
【００５０】
本発明に係る無線通信端末の電力低減方法は、上り回線が混雑してい状況下において、ユーザが頻繁に発信を試みようとすることを防止することができ、無線通信端末の消費電力低減に有効であり、無線通信システムやそれに用いられる無線通信端末、無線基地局等の分野において有用である。
【図面の簡単な説明】
【００５１】
【図１】本発明の一実施形態に係る無線通信システムの全体構成を示す図
【図２】無線基地局１の内部構成を示すブロック図
【図３】無線通信端末２の内部構成を示すブロック図
【図４】上り回線情報を放送するときの無線基地局１の動作を示すフローチャート
【図５】無線通信端末２の動作を示すフローチャート
【図６】図５に示したフローチャートに従って、無線通信端末としての携帯電話が動作したときの表示例を示す図
【符号の説明】
【００５２】
１  無線基地局
２  無線通信端末
３  セル
１１，２１  制御部
１２，２２  記憶部
１３  外部送受信部
１４，２４  無線送受信部
２３  入力部
２５  表示部
【図１】
2005101982.tif 000003
【図２】
2005101982.tif 000004
【図３】
2005101982.tif 000005
【図４】
2005101982.tif 000006
【図５】
2005101982.tif 000007
【図６】
2005101982.tif 000008